(57)【要約】【課題】電柱等の障害物付近における防護管の装着作業を簡便にし、作業員の熟練した技術を要することなく安全且つ確実に装着可能な防護管を提供する。【解決手段】非導電性の材料からなり、電線に装着される防護管であって、異なる径を有し、互いに挿通されてスライド可能に連結された複数の筒状部２，３と、前記各筒状部２，３に軸方向沿って形成されたスリット１５，２９と、前記各筒状部２，３を任意の長さで固定する固定手段とを具備する。装着方法としては、電線において電柱等の障害物に最も近い部分に防護管装着装置を利用してスライド式防護管１を装着するステップと、スライド式防護管１の装着後に防護管装着装置を撤去するステップと、防護管装着装置の撤去後にスライド式防護管１の長さを調節するステップとを有することが好ましい。【選択図】図１
2008263662.tif 000002
【特許請求の範囲】
【請求項１】
非導電性の材料からなり、電線に装着される防護管であって、
異なる径を有し、互いに挿通されてスライド可能に連結された複数の筒状部と、
前記各筒状部に軸方向沿って形成されたスリットと、
前記各筒状部を任意の長さで固定する固定手段と、
を具備することを特徴とするスライド式防護管。
【請求項２】
前記各筒状部には、前記スリットから外方へ立設されたフランジ部が形成され、
前記固定手段は、前記フランジ部に形成された孔と、該孔に挿通される棒状部材とからなることを特徴とする請求項１記載のスライド式防護管。
【請求項３】
前記筒状部は、一端側から他端側へ向けて徐々に径が大きく又は小さくなる略円錐形状を有し、相対的に大径の筒状部内に収納された小径の筒状部を、該大径の筒状部内において、径が大きくなる方向へスライドさせることにより、該小径の筒状部を該大径の筒状部から取り外すことが可能なことを特徴とする請求項２記載のスライド式防護管。
【請求項４】
防護管を電線に装着する作業を行うか又は補助する防護管装着装置を利用して、上記請求項１〜３のいずれか１つに記載のスライド式防護管を装着する方法であって、
電線において電柱等の障害物に最も近い部分に、前記防護管装着装置を利用して前記スライド式防護管を装着するステップと、
前記スライド式防護管の装着後に、前記防護管装着装置を撤去するステップと、
前記防護管装着装置の撤去後に、少なくとも一つの前記筒状部をスライドさせて前記スライド式防護管の長さを調節するステップと、
を有することを特徴とするスライド式防護管の装着方法。
【発明の詳細な説明】
【技術分野】
【０００１】
本発明は、電線付近で行われる作業時の感電事故等を防止するために電線に装着される防護管に関するものである。
【背景技術】
【０００２】
電線付近で作業を行う際に、電線からの感電等の事故を防止するために、電線に非導電性の防護管を装着することが行われている。このような防護管に関する発明として、例えば周方向の所定の範囲に軸線方向にわたって多数の透孔を有する他孔壁部を形成すると共に、周方向の残余の範囲に、軸線方向にわたって前記透孔が塞がれた無孔壁部を形成し、無孔壁部に軸線方向にわたってスリットを形成したケーブル防護管において、スリットの両側に外方に突出するリブを軸線方向にわたりそれぞれ連続して形成することから、リブにより無孔壁部をその厚み方向の曲げに対して補強し、ケーブル保護管の形状安定性を向上させると共に、リオ同士を接合することにより、スリットを容易に閉鎖することができるとするものが開示されている（特許文献１参照）。
【０００３】
また、防護管を電線に装着する際には、通常は専用の装着装置を使用する。この装着装置は、一般的にはプラスチック等から形成される防護管の可撓性を利用して防護管のスリット部を押し開き、この押し開かれたスリット部から電線を防護管内に収納し、収納後にスリット部を閉塞させる手段を有するものである。このような装着装置の従来発明としては、例えばタイヤによる送り力を利用して防護管を繰り出すことにより電線に防護管を装着する装置が開示されている（特許文献２参照）
【特許文献１】特開２００６−４２４８８号公報
【特許文献２】特開平１１−２３４８２９号公報
【発明の開示】
【発明が解決しようとする課題】
【０００４】
図６に示すのは、電線１００に従来の防護管１０１を装着する際の状態である。同図に示すように、防護管１０１は上記のような防護管装着装置１０２を介して電線１００に装着されるが、電柱等の障害物１０５に近い部分においては、防護管１０１が障害物１０５に干渉してしまい、装着作業が困難となる。このため、防護管の装着作業には、作業員の熟練した技術が必要であった。
【０００５】
そこで、本発明は、電柱等の障害物付近における防護管の装着作業を簡便にし、作業員の熟練した技術を要することなく安全且つ確実に装着可能な防護管を提供することを目的とするものである。
【課題を解決するための手段】
【０００６】
上記目的を達成するために本発明は、非導電性の材料からなり、電線に装着される防護管であって、異なる径を有し、互いに挿通されてスライド可能に連結された複数の筒状部と、前記各筒状部に軸方向沿って形成されたスリットと、前記各筒状部を任意の長さで固定する固定手段とを具備することを特徴とするものである（請求項１）。
【０００７】
この構成によれば、スリットを介して電線にスライド式防護管を装着した後、各筒状部をスライドさせ、固定手段により固定することにより、スライド式防護管を任意の長さに調節することができる。これにより、電線において電柱等の障害物に近い部分に防護管を装着する場合、先ずスライド式防護管を短くした状態で電線に装着し、その後任意の長さ伸ばすことによって、障害物までの電線全てを簡便且つ安全に防護することができる。また、伸縮機能を備えた釣竿等のように、不使用時にはコンパクトな形状にすることができるので、持ち運びに便利である。
【０００８】
また、上記請求項１記載の構成において、前記各筒状部には、前記スリットから外方へ立設されたフランジ部が形成され、前記固定手段は、前記フランジ部に形成された孔と、該孔に挿通される棒状部材とからなることが好ましい（請求項２）。
【０００９】
この構成によれば、各筒状部をスライドさせて任意の長さに調節した後、ピン等の棒状部材を所定の孔に挿通することにより、各筒状部を固定して、防護管の長さを決定することができる。
【００１０】
また、上記請求項１又は２記載の構成において、前記筒状部は、一端側から他端側へ向けて徐々に径が大きく又は小さくなる略円錐形状を有し、相対的に大径の筒状部内に収納された小径の筒状部を、該大径の筒状部内において、径が大きくなる方向へスライドさせることにより、該小径の筒状部を該大径の筒状部から取り外すことが可能であることが好ましい（請求項３）。
【００１１】
この構成によれば、各筒状部をスライドさせることによって上記構成と同様に防護管全体の長さを任意に調節することができると共に、小径の筒状部を大径の筒状部側へスライドさせることにより、小径の筒状部を大径の筒状部から取り外すことができる。これにより、スライドによる長さ調節が不要な場合等には、各筒状部をそれぞれ独立した防護管として使用することが可能となる。また、各種の電線にあった径の筒状部を現地で選択して使用（例えば２００sqの電線には外側の太径の筒状部を、又２５sqの電線には内側の小径の筒状部を使用）することが可能となり、適用できる線種の範囲が広くなる。
【００１２】
また、本発明は、防護管を電線に装着する作業を行うか又は補助する防護管装着装置を利用して、上記請求項１〜３のいずれか１つに記載のスライド式防護管を装着する方法であって、電線において電柱等の障害物に最も近い部分に、前記防護管装着装置を利用して前記スライド式防護管を装着するステップと、前記スライド式防護管の装着後に、前記防護管装着装置を撤去するステップと、前記防護管装着装置の撤去後に、少なくとも一つの前記筒状部をスライドさせて前記スライド式防護管の長さを調節するステップとを有するものである（請求項４）。
【００１３】
この装着方法によれば、スライド式防護管を電線に装着した後、防護管装着装置を撤去し、その後スライド式防護管を電柱等の障害物まで伸ばすことによって、防護管の障害物への干渉等を憂慮することなく、簡便且つ安全に防護管を装着することができる。
【発明の効果】
【００１４】
以上のように、本発明によれば、スライド式防護管を電線に装着した後、その長さを任意に調節することができるので、特に電線において電柱等の障害物に近い部分に防護管を装着する場合に、簡便且つ安全に作業することができる。また、伸縮機能を備えた釣竿等のように、不使用時にはコンパクトな形状にすることができるので、持ち運びに便利である。更に、コンパクトな状態で、径の異なる複数の筒状部を持ち運ぶこととなるので、各種の電線にあった径の筒状部を現地で選択して使用することが可能となり、適用できる線種の範囲が広くなる。
【発明を実施するための最良の形態】
【００１５】
以下、添付した図面を参照して本発明の実施例を説明する。尚、異なる実施例において同一又は同様の作用効果を奏する箇所についてはその説明を省略する。
【実施例１】
【００１６】
図１に示すのは、本実施例に係るスライド式防護管（以下、防護管と略記する）１であり、この防護管１は、大径筒状部２及び小径筒状部３からなる。
【００１７】
大径筒状部２は、非導電性及び可撓性を有するプラスチック等の材料から形成され、筒部５及びフランジ部６を有して構成されている。筒部５は、中空の略円柱形状の部分であり、両端に形成された開口部１９，２０と、軸方向に沿って形成されたスリット１５とによって開放された形状となっている。フランジ部６は、前記筒部５のスリット１５から外方（図１中、上方）に向かって立設された２つの平坦な壁状の部分である。また、この大径筒状部２の両端には、筒部５及びフランジ部６の端部近傍を覆うように固定されたストッパ９，１０がそれぞれ設けられおり、これらのストッパ９，１０は隣接する防護管と連結したり、後述する小径筒状部３が抜けるのを防止したりする作用を奏する。また、小径筒状部３側のストッパ１０のフランジ部分には、孔１６が穿設されており、この孔１６はフランジ部６の対応する部分をも貫通している。
【００１８】
小径筒状部３は、非導電性及び可撓性を有するプラスチック等の材料から形成され、筒部２１及びフランジ部２２を有して構成されている。筒部２１は、中空の略円柱形状の部分であり、両端に形成された開口部２７，２８と、軸方向に沿って形成されたスリット２９とによって開放された形状となっている。フランジ部２２は、前記筒部２１のスリット２９から外方に向かって立設された２つの平坦な壁状の部分である。また、このフランジ部２２には、複数の孔３０が穿設されている。この小径筒状部３は、前記大径筒状部２の内径よりも小径に形成されており、その一部が大径筒状部２内に挿入されている。小径筒状部３の両端には、筒部２１及びフランジ部２２の端部近傍を覆うように固定されたストッパ２４，２５がそれぞれ設けられており、一方のストッパ２５は、大径筒状部２の内部に収納され、小径筒状部３と大径筒状部２との連結を保つ作用を奏する。
【００１９】
図２において、上記防護管１の使用時における断面図が示されている。電線３１は小径筒状部３の内部に収納され、この小径筒状部３の一部を大径筒状部２が覆う形となる。そして、前記大径筒状部２のフランジ部６に形成された孔１６（図１参照）と、前記小径筒状部３のフランジ部２２に形成された複数の孔３０のうち任意の一つにピン３２を差し込むことにより、防護管１全体の長さが決定される。
【００２０】
図３（ａ）〜（ｃ）において、本実施例にかかる防護管１の装着時の手順が示されている。先ず、電線３１に従来の防護管４０を所定の防護管装着装置４１を用いて設置していく。この防護管装着装置４１としては様々な形態のものがあり、本発明はその形態に拘わるものではないが、一般的に防護管４０，１の可撓性を利用して防護管４０，１のスリット部を押し開き、この押し開かれたスリット部から電線３１を防護管４０，１内に収納し、収納後にスリット部を閉塞させる手段を有するものである。このような防護管装着装置４１を利用して、従来の防護管４０を電線３１の防護範囲に応じて必要数設置した後、最後に、即ち電柱等の障害物４５に最も近くなる部分に本願構成の防護管１を設置する。そして、防護管１を設置した後、防護管装着装置４１を電線３１から取り外す。
【００２１】
防護管装着装置４１を取り外した後、絶縁性ヤットコ４７等を用いて防護管１の小径筒状部３を障害物４５側へ引き延ばし、適当な位置でピン３２（図２参照）を差し込んで固定する。
【００２２】
以上のように、電柱等の障害物４５に最も近い部分に本願構成の防護管１を装着し、この防護管１の小径筒状部３を適宜引き延ばして長さを調節することにより、従来のように障害物４５に防護管１が干渉することなくこれを電線３１に装着することができる。これにより、従来よりも防護管の装着作業が簡便となり、電線３１の保護範囲全域に渡って、安全且つ確実に防護管を装着することができる。また、伸縮機能を備えた釣竿等のように、不使用時にはコンパクトな形状にすることができるので、持ち運びに便利である。
【実施例２】
【００２３】
図４に示すのは、本発明の他の実施例に係る防護管５１である。この防護管５１において、大径筒状部５２の筒部５５及び小径筒状部５３の筒部６１は、略円錐形状をなしている。その他、フランジ部５６，６２、スリット５５，６９、ストッパ５９，６０，６４，６５、孔６６，７０等は、本構成の筒部５５，６１の形状に合わせて若干の変更があるものの、上記実施例１と同様の作用を奏するものである。
【００２４】
上記構成によって、小径筒状部５３を大径筒状部５２に対してスライドさせることによって防護管５１全体の長さを任意に調節することができると共に、図５に示すように、小径筒状部５３を大径筒状部５２の反対側の開口部６７側へスライドさせることにより、小径筒状部５３を開口部６７から取り外すことができる。これにより、小径筒状部５３が不要な場合はこれを取り外し、大径筒状部５２のみ又は小径筒状部５３のみを、従来の防護管のように使用することが可能となる。また、各種の電線にあった径の筒状部を現地で選択して使用（例えば２００sqの電線には太径筒状部５２を、又２５sqの電線には小径筒状部５３を使用）することが可能となり、適用できる線種の範囲が広くなる。
【図面の簡単な説明】
【００２５】
【図１】本発明の実施例１に係る防護管の構造を示す図である。
【図２】実施例１に係る防護管の使用時の状態を示す断面図である。
【図３】（ａ），（ｂ），（ｃ）は、本発明に係る防護管の設置時の手順を経時的に示す図である。
【図４】本発明の実施例２に係る防護管の構造を示す図である。
【図５】実施例２に係る防護管において大径筒状部と小径筒状部とを分離させる状態を示す図である。
【図６】従来の防護管の設置時の状態を示す図である。
【符号の説明】
【００２６】
１，５１  （スライド式）防護管
２，５２  大径筒状部
３，５３  小径筒状部
５，２１，５５，６１  筒部
６，２２，５６，６２  フランジ部
１５，２９，５５，６９  スリット
１６，３０，６６，７０  孔
３１  電線
３２  ピン
【図１】
2008263662.tif 000003
【図２】
2008263662.tif 000004
【図３】
2008263662.tif 000005
【図４】
2008263662.tif 000006
【図５】
2008263662.tif 000007
【図６】
2008263662.tif 000008